(57)【要約】  【課題】商品保持面に接触抵抗低減処理を施すことにより、ロックレバーを円滑に退避させることができる自動販売機の商品搬出装置を提供する。  【解決手段】上下に商品を収納した商品通路内に先端側の商品保持面３２ｃを突出させて最下位から２番目の商品を保持する一方、商品保持面３２ｃを商品通路から退避させて商品保持状態を解除する回動自在のロックレバー３２を備えた自動販売機の商品搬出装置において、ロックレバー３２の商品保持面３２ｃに接触抵抗低減処理を施してなる構造となっている。これにより、商品保持面３２ｃが接触抵抗低減処理が施されているため、商品保持面３２ｃと最下位から２番目の商品との接触抵抗が小さくなり、ロックレバー３２を商品通路から円滑に退避できる。【選択図】  図１
2005222163.tif 000002
【特許請求の範囲】
【請求項１】
上下に商品を収納した商品通路内に先端側の商品保持面を突出させて最下位から２番目の商品を保持する一方、該商品保持面を該商品通路から退避させて商品保持状態を解除する回動自在のロックレバーを備えた自動販売機の商品搬出装置において、
前記ロックレバーの商品保持面に接触抵抗低減処理を施してなる
ことを特徴とする自動販売機の商品搬出装置。
【請求項２】
前記接触抵抗低減処理はシボ加工による粗面処理である
ことを特徴とする請求項１記載の自動販売機の商品搬出装置。
【請求項３】
前記接触抵抗低減処理は多数の凹凸を形成する凹凸形成処理である
ことを特徴とする請求項１記載の自動販売機の商品搬出装置。
【請求項４】
前記接触抵抗低減処理は滑り部材を施す滑り部材コーティング処理である
ことを特徴とする請求項１記載の自動販売機の商品搬出装置。
【発明の詳細な説明】
【技術分野】
【０００１】
本発明は、サーペンタインラック等に収容された商品を１個ずつ搬出する自動販売機の商品搬出装置に関するものである。
【背景技術】
【０００２】
従来、図６に示すようなサーペンタイン式自動販売機においては、自動販売機本体１内に上下に蛇行した複数の商品ラック２を有し、各商品ラック２内に多数の商品Ａが上下に収納されている。商品ラック２の下部には商品Ａを搬出する商品搬出装置３が設置されている。商品搬出装置３の下部には図７(a)(b)に示すようにゲートレバー３１が回動自在に設置されている。また、ゲートレバー３１は商品通路３ａ内に出没自在となっており、ゲートレバー３１が商品通路３ａに突出するとき、最下位の商品Ａ１が保持される。一方、ゲートレバー３１の上方には同じく図７(a)(b)に示すようにロックレバー３２が回動自在に設置されている。このロックレバー３２は商品通路３ａ内に出没自在となっており、ロックレバー３２が商品通路３ａに突出するとき、最下位から２番目の商品Ａ２が保持される。これら各レバー３１，３２の回動操作は、ソレノイド３３、ソレノイド３３の復帰用バネ３４、及び、ソレノイド３３で操作される上下のガイド棒３５，３６で行われる。
【０００３】
ここで、ソレノイド３３が非励磁状態（販売待機状態）のときは、図７(a)に示すように、ゲートレバー３１が図示しないバネで付勢され商品通路３ａ内に突出する一方、ゲートレバー３１の下端には下ガイド棒３５が当接し、ゲートレバー３１の下回転が規制されている。
【０００４】
一方、ソレノイド３３が励磁状態（販売状態）のときは、図７(b)に示すように、ロックレバー３２のガイド溝３２ａに填り込んでいる上ガイド棒３６が上方に引き上げられ、ロックレバー３２が回転してその先端面（商品保持面）３２ｂが商品通路３ａ内に突出し、最下位から２番目の商品Ａ２を保持する。また、下ガイド棒３５は同じく上方に引き上げられゲートレバー３２の回転規制を解除して最下位の商品Ａ１を落下搬出する。
【０００５】
最下位の商品Ａ１が搬出された後、ソレノイド３３の励磁が終了し、復帰用バネ３４により図７(a)の販売待機状態に戻る。これにより、最下位から２番目の商品Ａ２がゲートレバー３２上に落下して、最下位の商品Ａ１となり次の販売に備えることとなる。
【０００６】
ところで、図７(b)の販売状態から図７(a)の販売待機状態に戻る際、ロックレバー３２の商品保持面３２ｂには最下位から２番目の商品Ａ２の荷重に加えてこれに続く上方の商品荷重もかかっている。このため、商品Ａがペットボトルのように変形容易なものとなっているときは商品Ａ２が変形して商品保持面３２ｂと商品Ａ２との接触面積が拡大し、また、商品Ａの外面に摩擦抵抗の大きなラベルが貼着されているときは、摩擦抵抗の大きなラベルと商品保持面３２ｂが接触し、ロックレバー３２が円滑に戻らないという問題点を有していた。
【０００７】
そこで、このような問題点を解決するため、従来、例えば復帰用バネ３４のバネ力を大きくする構造、商品保持面３２ａに複数のリブを設ける構造、或いは、商品保持面３２ａの接触角度をレバー戻りが容易な角度に設定する構造などが提案されている。
【特許文献１】特開２００２−２４９３３号公報
【特許文献２】特開２００２−３７３３７１号公報
【発明の開示】
【発明が解決しようとする課題】
【０００８】
しかしながら、復帰用バネのバネ力を大きくする構造では、バネ力を大きくした分、吸引力の大きなソレノイドが必要になるという問題点を有していたし、また、リブを設ける構造では、リブと接触する箇所に商品荷重が集中して販売商品にリブ痕が付き、商品価値を低下させるという問題点を有していた。
【０００９】
更に、商品保持面３２ａの接触角度を戻り容易な角度に設定する構造を採用するとしても、その最良の商品保持面３２ｂは商品径寸法により異なる。即ち、商品保持面３２ｂの接触角度は商品を保持しつつ、ロックレバー３２の下方向への回転力を極力小さくするよう設定することが好ましい。具体的には、図８に示すように、大径商品Ａのときはその商品保持面３２ｂが手前側（図８の一点鎖線（ア））であり、一方、小径商品Ａのときはその商品保持面３２ａが商品通路３ａの中央寄りとなる（図８の一点鎖線（イ））。
【００１０】
一方、商品Ａ，Ｂに対応する商品保持面３２ｂを形成するためには、前後に位置する各一点鎖線（ア）（イ）に跨るよう形成しなければならない。なぜなら、大径商品Ａ用の商品保持面（一点鎖線（ア））とするときは、小径商品Ｂを保持できないし、一方、小径商品Ｂ用の商品保持面（一点鎖線（イ））とするときは、商品保持面３２ｂが大径商品Ａに突き当たり、大径商品Ａの保持不良を起こすおそれがあるからである。
【００１１】
このように、商品保持面３２ｂが前後の各線（ア）（イ）に跨る分、商品保持面３２ｂの接触角度が各線（ア）（イ）それより大きくならざるを得なく、商品保持面３２ｂの接触角度の最適設計にも限界があった。
【００１２】
本発明の目的は前記問題点を解決するため、商品保持面に接触抵抗低減処理を施すことにより、ロックレバーを円滑に退避させることができる自動販売機の商品搬出装置を提供することにある。
【課題を解決するための手段】
【００１３】
本発明は前記課題を解決するため、請求項１の発明は、上下に商品を収納した商品通路内に先端側の商品保持面を突出させて最下位から２番目の商品を保持する一方、商品保持面を商品通路から退避させて商品保持状態を解除する回動自在のロックレバーを備えた自動販売機の商品搬出装置において、ロックレバーの商品保持面に接触抵抗低減処理を施してなる構造となっている。
【００１４】
請求項１の発明によれば、商品保持面に接触抵抗低減処理が施されているため、商品保持面と最下位から２番目の商品との接触抵抗が小さくなり、ロックレバーを商品通路から円滑に退避できる。
【００１５】
なお、接触抵抗低減処理としてシボ加工により粗面処理をしても良いし（請求項２の発明）、多数の凹凸を形成する凹凸形成処理を施すようにしても良いし（請求項３の発明）、或いは、滑り部材を施す滑り部材コーティング処理を施すようにしても良い（請求項４の発明）。
【発明の効果】
【００１６】
本発明によれば、商品保持面が接触抵抗低減処理が施されているため、商品保持面と最下位から２番目の商品との接触抵抗が小さくなり、ロックレバーが商品通路から円滑に退避されるため、ロックレバーの駆動源出力を大きくすることなく商品の搬出不良を防止できる。
【発明を実施するための最良の形態】
【００１７】
図１及び図２は自動販売機の商品搬出装置に係る第１実施形態を示すもので、図１は商品搬出装置の外観斜視図、図２は商品保持面と商品との接触状態を示す省略断面図である。なお、自動販売機の構造は既に説明した図６の自動販売機と同様であり、その説明は省略する。また、図６〜図８に示す構成と同一構成部分は同一符号を付して説明する。
【００１８】
本実施形態に係る商品搬出装置３は上下に延在された本体プレート３７を有し、本体プレート３７の下部にはゲートレバー用の開口３７ａを形成する一方、上部にはロックレバー用の開口３７ｂを形成している。また、本体プレート３７の裏面下部にはゲートレバー３１が回動自在に軸支されており、ゲートレバー３１が開口３７ａを介して商品通路３ａ内に突出及び退避自在となっている。本体プレート３７の裏面上部にはロックレバー３２が回動自在に軸支されており、開口３７ｂを介して商品通路３ａ内に突出及び退避自在となっている。なお、このロックレバー３２の商品通路３ａ内への突出量は大小何れの商品にも対応するよう設計されている。
【００１９】
以上のような構成は従来の商品搬出装置３と同様であるが、本実施形態はプラスチック製のロックレバー３２の先端側に形成された商品保持面を改良した点にある。
【００２０】
本実施形態は商品保持面３２ｃをシボ加工により粗面処理している。このシボ加工として、例えばロックレバー３２のプラスチック成形金型を用いるときは次のようにして加工する。まず、金型の内面で商品保持面３２ｃに対応する箇所に耐性インクを塗布して模様（粗面模様）付けを行い、次いで金属の腐食処理を行う。この模様付けと腐食処理を複数回に亘って繰り替えすことにより、金型の内面に細かな窪みができる。この金型を用いることにより、商品保持面３２ｃが粗面処理されたロックレバー３２が成形される。
【００２１】
本実施形態によれば、図２に示すように、商品保持面３２ｃが粗面処理されているため、商品Ｃと商品保持面３２ｃとの接触面積が小さくなる。これにより、商品Ｃと商品保持面３２ｃの貼り付きが防止され（商品Ｃと商品保持面３２ｃとの接触抵抗が低減され）、復帰用バネ（図示しない）の弾発力でロックレバー３２を戻す際（図２の実線矢印に示す方向に回転させる際）、ロックレバー３２が円滑に動作する。
【００２２】
図３は商品搬出装置に係る第２実施形態を示すものである。この第２実施形態はロックレバー３２の商品保持面３２ｄに多数の凹凸を形成している（凹凸形成処理）。
【００２３】
この凹凸形成処理はプラスチック成形金型の内面で商品保持部３２ｄに対応する箇所に多数の凹部を形成したものを用い、プラスチック成形すれば良い。これにより、図３に示すように、商品Ｃと商品保持面３２ｄとの接触面積が小さくなり、前記第１実施形態と同様の作用により、ロックレバー３２が円滑に動作する。
【００２４】
図４は商品搬出装置に係る第３実施形態を示すものである。この第３実施形態はロックレバー３２の商品保持面３２ｅに凹凸形成処理されたプラスチックフィルム３２ｆを接着した構造となっている。プラスチックフィルム３２ｆの凹凸形成処理は例えばエンボス加工などで形成したものである。
【００２５】
この実施形態によれば、前記第２実施形態と同様にロックレバー３２の円滑な戻し動作が実現されることはもとより、既存の商品搬出装置のロックレバー３２にも適用することができる。
【００２６】
図５は商品搬出装置に係る第４実施形態を示すものである。この第４実施形態はロックレバー３２の商品保持面３２ｇに滑り部材３２ｈをコーティング（滑り部材コーティング処理）してなるものである。この滑り部材３２ｈとして、滑り良好な例えばフッ素樹脂等を用いている。
【００２７】
本実施形態によれば、商品保持面３２ｇに滑り部材３２ｈをコーティングしているため、商品Ｃとの摩擦抵抗が著しく小さくなり、ロックレバー３２の円滑な戻し動作が実現される。
【図面の簡単な説明】
【００２８】
【図１】第１実施形態に係る商品搬出装置の外観斜視図
【図２】第１実施形態の商品保持状態を示す省略断面図
【図３】第２実施形態の商品保持状態を示す省略断面図
【図４】第３実施形態の商品保持状態を示す省略断面図
【図５】第４実施形態の商品保持状態を示す省略断面図
【図６】自動販売機の断面図
【図７】商品搬出動作を示す側面図
【図８】大径商品及び小径商品の保持状態を示す拡大側面図
【符号の説明】
【００２９】
１…自動販売機、３…商品搬出装置、３ａ…商品通路、３２…ロックレバー、３２ｃ，３２ｄ，３２ｅ，３２ｅ，３２ｇ…商品保持面、３２ｈ…滑り部材、商品…Ａ，Ｂ，Ｃ。
【図１】
2005222163.tif 000003
【図２】
2005222163.tif 000004
【図３】
2005222163.tif 000005
【図４】
2005222163.tif 000006
【図５】
2005222163.tif 000007
【図６】
2005222163.tif 000008
【図７】
2005222163.tif 000009
【図８】
2005222163.tif 000010